(57)【要約】【課題】バッテリーポスト挿入穴の縮径を確実に行えるようにするとともに、バッテリーターミナル本体の不本意な変形を抑えるようにしたバッテリーターミナルを提供する。【解決手段】連結部７、７（一対の締め付け部）の下側且つ左右方向の両端部に各々連成され、各中間部分２３、２３が連結部７、７の上側内面に当接するとともに、各先端部分２４、２４が各中間部分２３、２３からの折り返しにより連結部７、７の下側内面に当接する一対の当接部２１、２１と、連結部７、７の上側且つ左右方向の両端部に各々連成され、一対の当接部２１、２１及び連結部７、７の下側外面を巻き込むようにのびる一対の被摺接部２０、２０と、を有するようにバッテリーターミナル１を構成する。【選択図】    図７
2004186095.tif 000002
【特許請求の範囲】
【請求項１】
バッテリーポストを挿入するためのバッテリーポスト挿入穴を一部分断された部分を有する状態で上下方向に貫通形成した一対の環状部、及び前記一部分断された部分に連通する締め付け間隙を設けて前記一対の環状部に対し左右方向に並設され且つ前記一対の環状部を上下方向に連結する一対の締め付け部を有するバッテリーターミナル本体と、前記締め付け間隙を介し前記一対の締め付け部を互いに近づけて前記バッテリーポスト挿入穴を縮径方向に縮める締め付け手段とを備え、
該締め付け手段は、ボルト挿通孔を有する基板、及び該基板の左右方向の両端部にそれぞれ連成される一対のテーパ部を有するブラケットと、前記ボルト挿通孔に挿通され且つ前記一対の環状部の上側から操作されると螺合状態が進行し前記一対のテーパ部を前記一対の締め付け部に対して摺接させるボルト及びナットとを有するバッテリーターミナルであって、
前記一対の締め付け部の下側且つ左右方向の両端部に各々連成され、各中間部分が前記一対の締め付け部の上側内面に当接するとともに、各先端部分が前記各中間部分からの折り返しにより前記一対の締め付け部の下側内面に当接する一対の当接部と、前記一対の締め付け部の上側且つ左右方向の両端部に各々連成され、前記一対の当接部及び前記一対の締め付け部の下側外面を巻き込むようにのびる一対の被摺接部とを有する
ことを特徴とするバッテリーターミナル。
【発明の詳細な説明】
【０００１  】
【発明の属する技術分野】
本発明は、バッテリーポスト挿入穴を有するバッテリーターミナル本体と、バッテリーポスト挿入穴を縮径方向に縮める締め付け手段とを備えたバッテリーターミナルに関する。
【０００２  】
【従来の技術】
図９において、引用符号１０１はバッテリー１０２のバッテリーポスト１０３に取り付けられるバッテリーターミナルを示している。そのバッテリーターミナル１０１は、バッテリーポスト１０３を挿入するためのバッテリーポスト挿入穴１０４を有するバッテリーターミナル本体１０５と、バッテリーポスト挿入穴１０４の径を縮径させるためのボルト１０６及びナット１０７とを備えて構成されている。バッテリーターミナル本体１０５には、外部端子接続用の端子固定ボルト１０８及びナット１０９が設けられている。その端子固定ボルト１０８には、例えばヒュージブルリンクやスタータ等に電力を供給するためのケーブル１１０がＬＡ端子１１１を介して接続されるようになっている。
【０００３  】
このようなバッテリーターミナル１０１は、バッテリーターミナル本体１０５のバッテリーポスト挿入穴１０４を介してバッテリーポスト１０３が挿入され、ボルト１０６及びナット１０７が水平方向からインパクトレンチ等の工具で締め付けられてバッテリーポスト１０３に固定されるようになっている。
【０００４  】
ところで、近年のエンジンルーム内の設置部品の過密化した状態においては、上記工具が設置部品に干渉し易く、バッテリーターミナル１０１の取り付け作業に影響を来している。そこで本願出願人は、次のような構成及び構造のバッテリーターミナルの提供を検討し、十分な成果を得ている。
【０００５  】
図８において、本願出願人が提供の検討をしたバッテリーターミナル１２１は、バッテリーポスト１０３（図９参照）を挿入するためのバッテリーポスト挿入穴１２２を有するバッテリーターミナル本体１２３と、バッテリーポスト挿入穴１２２の径を縮径させるための締め付け手段１２４とを備えて構成されている。
【０００６  】
バッテリーターミナル本体１２３は、一対の環状部１２５、１２６と、一対の接合板１２７、１２８とを有している。その一対の環状部１２５、１２６は、略Ｕ字状に折り曲げられた一対の締め付け部としての連結部１２９、１２９の各端部に連成されており、上下方向に重なるように配設されている。このような環状部１２５、１２６の各中央には、バッテリーポスト挿入穴１２２が穿設されている。そのバッテリーポスト挿入穴１２２は、円周方向の一箇所が分断されており、そこに締め付け間隙１３０が形成されている。引用符号１３１は締め付け間隙１３０を含んで形成されたボルト挿通孔を示している。
【０００７  】
一対の接合板１２７、１２８は、各々、環状部１２５、１２６に連成されている。また、接合板１２７、１２８は、上下方向に重なるように配設されている。このような接合板１２７、１２８には、端子固定ボルト１３２が固定されている。その端子固定ボルト１３２には、ケーブル端末のＬＡ端子が接続されるようになっている。
【０００８  】
締め付け手段１２４は、締め付け間隙１３０を介して連結部１２９、１２９を互いに近づけ、バッテリーポスト挿入穴１２２を縮径方向に縮めるためのものであって、ブラケット１３３とボルト１３４とナット１３５とを備えて構成されている。そのブラケット１３３は、連結部１２９、１２９の上側に配設されるようになっており、基板１３６と、その基板１３６の左右両端部に連成される一対のテーパ部１３７、１３７とを有している。基板１３６の中央には、ボルト１３４を上下方向に挿通することが可能なボルト挿通孔１３８が貫通形成されている。テーパ部１３７、１３７は、先端に向けて次第にその間隔が広がるようなテーパ状に形成されている。
【０００９  】
締め付け手段１２４は、バッテリーターミナル本体１２３に対してセットされると、基板１３６が連結部１２９、１２９の各上面に対向し、テーパ部１３７、１３７が連結部１２９、１２９の左右両端部分に接触するようになっている。尚、ボルト１３４は、連結部１２９、１２９の下側から締め付け間隙１３０（ボルト挿通孔１３１）及びボルト挿通孔１３８に挿通されるようになっている。また、ナット１３５は、連結部１２９、１２９及び基板１３６の上側でボルト１３４に螺合するようになっている。
【００１０  】
上記構成において、上方からの操作によりナット１３５が締め付けられると、ボルト１３４及びナット１３５の螺合状態が進行する。そして、ボルト１３４及びナット１３５によって、ブラケット１３３が連結部１２９、１２９に押し付けられると、テーパ部１３７、１３７が連結部１２９、１２９の左右両端部分１３９、１３９を摺接する（左右両端部分１３９、１３９は連結部１２９、１２９の上下方向中間に位置する部分とする）。これにより、上下方向の締め付け力が左右方向の締め付け力に変換され、連結部１２９、１２９は互いに近づく方向（左右方向）に締め付けられる。そして、バッテリーポスト挿入穴１２２が縮径方向に縮み、そのバッテリーポスト挿入穴１２２はバッテリーポスト１０３（図９参照）の周側面に対して圧接状態になる。このような状態において、バッテリーターミナル１２１の取り付けが完了する。
【００１１  】
尚、上下方向の締め付け力を左右方向の締め付け力に変換して取り付けを行うバッテリーターミナルとしては、例えば下記特許文献１、２のようなものが知られている。
【００１２  】
【特許文献１】
特開２００２−１８４３８７号公報
【特許文献２】
特開２００２−１８４３８９号公報
【００１３  】
【発明が解決しようとする課題】
本願出願人が提供の検討をしたバッテリーターミナル１２１にあっては、工具とバッテリー周辺の設置部品との干渉を確実に避け、取り付けに係る作業を容易にすることができるという効果を奏している。
【００１４  】
しかしながら、ブラケット１３３のテーパ部１３７、１３７が連結部１２９、１２９の左右両端部分１３９、１３９を摺接せずにその上方、例えば端部１４０、１４０に押し付けられて摺接するような状態が生じた場合には、左右方向の締め付け力のバランスが崩れ、最悪、環状部１２５（上側の環状部）のバッテリーポスト挿入穴１２２のみがバッテリーポスト１０３（図９参照）の周側面に対して圧接状態になるという恐れがある（下側の環状部１２６のバッテリーポスト挿入穴１２２は十分に縮径方向に縮まない。バッテリーターミナル１２１の取り付け状態が不安定になる）。
【００１５  】
また、連結部１２９、１２９は、略Ｕ字状に折り曲げられて形成されていることから、何らかの要因で上下方向から外力が加わるとその方向に潰れてしまうという恐れがある（連結部１２９、１２９が潰れた場合には、左右方向の締め付け力のバランスが崩れたり、上下方向の締め付け力が左右方向の締め付け力に変換されなかったりする）。
【００１６  】
本発明は、上述した事情に鑑みてなされるもので、バッテリーポスト挿入穴の縮径を確実に行えるようにしたバッテリーターミナルを提供することを課題とする。また、バッテリーターミナル本体の不本意な変形を抑えるようにしたバッテリーターミナルを提供することを課題とする。
【００１７  】
【課題を解決するための手段】
上記課題を解決するためなされた請求項１記載の本発明のバッテリーターミナルは、バッテリーポストを挿入するためのバッテリーポスト挿入穴を一部分断された部分を有する状態で上下方向に貫通形成した一対の環状部、及び前記一部分断された部分に連通する締め付け間隙を設けて前記一対の環状部に対し左右方向に並設され且つ前記一対の環状部を上下方向に連結する一対の締め付け部を有するバッテリーターミナル本体と、前記締め付け間隙を介し前記一対の締め付け部を互いに近づけて前記バッテリーポスト挿入穴を縮径方向に縮める締め付け手段とを備え、該締め付け手段は、ボルト挿通孔を有する基板、及び該基板の左右方向の両端部にそれぞれ連成される一対のテーパ部を有するブラケットと、前記ボルト挿通孔に挿通され且つ前記一対の環状部の上側から操作されると螺合状態が進行し前記一対のテーパ部を前記一対の締め付け部に対して摺接させるボルト及びナットとを有するバッテリーターミナルであって、前記一対の締め付け部の下側且つ左右方向の両端部に各々連成され、各中間部分が前記一対の締め付け部の上側内面に当接するとともに、各先端部分が前記各中間部分からの折り返しにより前記一対の締め付け部の下側内面に当接する一対の当接部と、前記一対の締め付け部の上側且つ左右方向の両端部に各々連成され、前記一対の当接部及び前記一対の締め付け部の下側外面を巻き込むようにのびる一対の被摺接部とを有することを特徴としている。
【００１８  】
請求項１に記載された本発明によれば、締め付け手段の操作がバッテリーターミナル本体の環状部の上側から行われる。その操作は、ボルト及びナットの螺合状態を進行させることにより開始される。ボルト及びナットの螺合状態が進行すると、ブラケットが一対の締め付け部の各被摺接部に対して押し付けられる。そして、ブラケットの各テーパ部が各被摺接部を摺接すると、上下方向の締め付け力が左右方向の締め付け力に変換され、一対の締め付け部が互いに近づく方向に締め付けられる。一対の締め付け部が締め付けられると、バッテリーポスト挿入穴が縮径方向に縮み、そのバッテリーポスト挿入穴がバッテリーポストに対して圧接状態となって、バッテリーターミナルの取り付けが完了する。
一対の締め付け部の各被摺接部が一対の締め付け部の下側外面を巻き込むようにのびて形成されることから、一対の締め付け部の上下が一緒に左右方向に変位可能になる。また、一対の締め付け部の各当接部の各中間部分が一対の締め付け部の上側内面に当接するとともに、各当接部の各先端部分が一対の締め付け部の下側内面に当接するように形成されることから、一対の締め付け部の上下方向の潰れが規制される。バッテリーポスト挿入穴の縮径が確実に行われるとともに、一対の締め付け部の不本意な変形が抑えられる。
【００１９  】
【発明の実施の形態】
以下、図面を参照して本発明の実施の形態を説明する。
図１は本発明のバッテリーターミナルの一実施の形態を示す分解斜視図である。また、図２は外観斜視図、図３は平面図、図４は正面図、図５は背面図、図６は側面図、図７は図６のＡ−Ａ線断面図である。
【００２０  】
図１ないし図７において、引用符号１は先端の直径が基端の直径よりも小さいテーパ状の周側面を有する既知のバッテリーポスト２に巻着するバッテリーターミナルを示している。そのバッテリーターミナル１は、バッテリーターミナル本体３と、複数の構成部材からなる締め付け装置４（特許請求の範囲に記載した締め付け手段に相当）とを有して構成されている。
【００２１  】
上記バッテリーターミナル本体３は、導電性を有する金属板をプレス加工することにより製造されており、一対の環状部５、６と、一対の連結部７、７（特許請求の範囲に記載した締め付け部に相当）と、一対の接合板８、９とを有している。また、バッテリーターミナル本体３は、一対の接合板８、９によって保持される端子固定ボルト１０及びナット（不図示）を有している。
【００２２  】
本明細書において、上記バッテリーポスト２の軸方向を垂直方向（上下方向に一致）とし、そのバッテリーポスト２の先端を上、基端を下と定義する。従って、環状部５が上、環状部６が下に配置されるものとする。また、同様に、接合板８が上、接合板９が下に配置されるものとする。
【００２３  】
環状部５は、平板状の上基板１１を有している。その上基板１１の略中央には、バッテリーポスト２を挿入するためのバッテリーポスト挿入穴１２が上下方向に貫通形成されている。また、上基板１１の左右両端部には、先端が下に向く係合部１３、１３がそれぞれ連成されている。
【００２４  】
バッテリーポスト挿入穴１２は、バッテリーポスト２の周側面に接触する部分であって、先端が下に向くように上基板１１から折り曲げられて形成されている。また、バッテリーポスト挿入穴１２は、バッテリーポスト２の先端側の直径に合わせて環状に形成されている。さらに、バッテリーポスト挿入穴１２は、連結部７、７の間となる部分が分断された状態で形成されている。引用符号１４はバッテリーポスト挿入穴１２の一部分断された部分を示している。
【００２５  】
環状部６は、平板状の下基板１５を有している。その下基板１５の略中央には、バッテリーポスト２を挿入するためのバッテリーポスト挿入穴１６が上下方向に貫通形成されている。また、下基板１５の左右両端部には、先端が上に向く係合部１７、１７がそれぞれ連成されている。
【００２６  】
上基板１１の係合部１３、１３と下基板１５の係合部１７、１７は、その先端同士が対向するように配置されている。また、先端同士が当接若しくは近接した状態に配置されている。
【００２７  】
バッテリーポスト挿入穴１６は、バッテリーポスト２の周側面に接触する部分であって、先端が下に向くように下基板１５から折り曲げられて形成されている。また、バッテリーポスト挿入穴１６は、バッテリーポスト２の基端側の直径に合わせて環状に形成されている。さらに、バッテリーポスト挿入穴１６は、連結部７、７の間となる部分が分断された状態で形成されている。尚、バッテリーポスト挿入穴１６の一部分断された部分は、上記引用符号１４の部分の真下にこれと同様に形成されているものとする（引用符号１４を用いるものとする）。
【００２８  】
連結部７、７は、上基板１１及び下基板１５を間隔をあけて上下に重なるようにこれらを連結する部分であって、前後方向にＵ字状に湾曲させられた状態に形成されている。すなわち、連結部７、７における前後方向且つ上側の端部が上基板１１の前端に連成され（上側の一部分断された部分１４の左右両側に連成される）、前後方向且つ下側の端部が下基板１５の前端に連成されて（下側の一部分断された部分１４の左右両側に連成される）、前後方向の断面視がＵ字状となるように形成されている。また、連結部７、７は、一部分断された部分１４、１４に連通する締め付け間隙１８を有して左右方向に並設されている。
【００２９  】
このような連結部７、７には、ボルト挿通孔１９と被摺接部２０、２０と当接部２１、２１とが形成されている。ボルト挿通孔１９は、締め付け間隙１８を含んで形成されている。また、ボルト挿通孔１９は、連結部７、７が互いに近接した状態において円形に近い形状になるように形成されている。
【００３０  】
被摺接部２０、２０は、連結部７、７の左右方向の端部（外側の端部）に配置形成されている。詳しくは、図示のように被摺接部２０、２０の基端部分が連結部７、７の左右方向且つ上側の端部に連成されており、被摺接部２０、２０の先端部分２２、２２が連結部７、７の左右方向且つ下側の端部に連成された当接部２１、２１及び連結部７、７の各下面を巻き込むようにのびた状態に形成されている。尚、本形態において、被摺接部２０、２０は、傾斜面を有するように形成されている。また、被摺接部２０、２０と当接部２１、２１は、極力密着するように配置形成されている。当接部２１、２１の中間部分２３、２３は、連結部７、７の上側内面に当接するように形成されている。また、当接部２１、２１の先端部分２４、２４は、中間部分２３、２３からの折り返しにより連結部７、７の下側内面に当接するように形成されている。本形態において、当接部２１、２１は、正面視略渦巻き形状に形成されている。
【００３１  】
接合板８は、上基板１１の後端に連成される接触板部２５と、その接触板部２５の左右方向の両端部に連成される下向きの側壁２６、２６とを有して構成されている。接触板部２５は、矩形状の平板であって、その中央には、端子固定ボルト１０に対するボルト挿通孔２７が貫通形成されている。側壁２６、２６の先端部分には、内側に折り返されて端子固定ボルト１０の頭部２８を保持する頭部保持片２９、２９が連成されている。
【００３２  】
接合板９は、下基板１５の後端に連成される矩形平板部３０と、その矩形平板部３０の左右方向の両端部に連成される側壁３１、３１とを有して構成されている。矩形平板部３０の中央には、端子固定ボルト１０の頭部２８の外形形状に合わせた頭部回転規制孔（不図示）が貫通形成されている。接合板９の左右方向の側壁３１、３１は、接合板８の側壁２６、２６の内側となるように配置形成されている。
【００３３  】
尚、接合板８、９、端子固定ボルト１０、及び図示しないナットによって外部接続端子（不図示）に対する接続部が形成されている。
【００３４  】
上記締め付け装置４は、締め付け間隙１８を介して連結部７、７を互いに近づけるとともに、バッテリーポスト挿入穴１２、１６を縮径方向に縮めるものであって、ブラケット３２とボルト３３とナット３４とを有して構成されている（締め付け装置４の構成は一例であるものとする）。
【００３５  】
ブラケット３２は、連結部７、７の上側に配設されるようになっている。また、ブラケット３２は、平面視短冊形状の厚肉金属板を折り曲げて形成されている。すなわち、ブラケット３２は、基板３５と一対のテーパ部３６、３６とを有するように形成されている。
【００３６  】
基板３５の中央には、ボルト３３を上下方向に挿通することが可能なボルト挿通孔３７が貫通形成されている。テーパ部３６、３６は、基板３５の長手方向（上記左右方向に一致）の両端部に連成されている。また、テーパ部３６、３６は、先端に向けて次第にその間隔が広がるようにテーパ状に形成されている。
【００３７  】
ボルト３３は、ボルト挿通孔３７と締め付け間隙１８（ボルト挿通孔１９）とに挿通されるようになっている。また、ボルト３３は、その軸がバッテリーポスト挿入穴１２、１６の軸に沿って平行に挿通されるようになっている。本形態においては、ボルト３３の頭部３８が下基板１５側に配置されるようになっている。ナット３４は、上基板１１側からボルト３３に対して螺合するようになっている。
【００３８  】
締め付け装置４は、バッテリーターミナル本体３に対してセットされると、ブラケット３２の基板３５が連結部７、７の各上面に対向し、ブラケット３２のテーパ部３６、３６が被摺接部２０、２０の上記傾斜面に対して接触するようになっている。また、ボルト３３が連結部７、７の下側から締め付け間隙１８（ボルト挿通孔１９）、及びブラケット３２のボルト挿通孔３７に挿通され、ナット３４がブラケット３２の上側で螺合するようになっている。
【００３９  】
次に、上記構成に基づき、バッテリーターミナル１のバッテリーポスト２に対する取り付け固定（接続）を説明する。
【００４０  】
先ず、バッテリーターミナル１を下方向に移動させてバッテリーポスト挿入穴１２、１６をバッテリーポスト２の周側面に接触させる。次に、バッテリーターミナル本体３の向きを所定方向に合わせて配置する。続いて、バッテリーターミナル本体３の上方からインパクトレンチ等の図示しない工具を用いてナット３３を締め付け、締め付け装置４の操作を開始する。
【００４１  】
締め付け装置４の操作において、ナット３４を締め付けると、ボルト３３及びナット３４の螺合状態が進行する。そして、ボルト３３及びナット３４の螺合状態が進行すると、ブラケット３２が連結部７、７に対して押し付けられ、ブラケット３２のテーパ部３６、３６が連結部７、７の被摺接部２０、２０を摺接する。これにより、上下方向の締め付け力が左右方向の締め付け力に変換され、連結部７、７が互いに近づく方向（左右方向）に締め付けられる。そして、バッテリーポスト挿入穴１２、１６が縮径方向に縮み、そのバッテリーポスト挿入穴１２、１６がバッテリーポスト２の周側面に対して圧接状態となって、バッテリーターミナル１の取り付けが完了する。
【００４２  】
以上、図１ないし図７までを参照しながら説明してきたように、連結部７、７に各被摺接部２０、２０を形成し、その各被摺接部２０、２０を連結部７、７の各下面（下側外面）まで巻き込むようにのばしたことから、ブラケット３２の摺接に伴って連結部７、７の上下を一緒に左右方向に変位させることができる。また、連結部７、７に各当接部２１、２１を形成し、その各当接部２１、２１の中間部分２３、２３を連結部７、７の上側内面に、且つ先端部分２４、２４を連結部７、７の下側内面に当接するようにしたことから、連結部７、７の上下方向の潰れを規制することができる。従って、バッテリーポスト挿入穴１２、１６の縮径を確実に行うことができるとともに、連結部７、７の不本意な変形を抑えることができる。
【００４３  】
尚、本発明のバッテリーターミナル１は、上記図示しない工具と、バッテリー周辺の設置部品（不図示）との干渉を確実に避け、接続に係る作業（取り付けに係る作業）を容易にすることもできる。
【００４４  】
その他、本発明は本発明の主旨を変えない範囲で種々変更実施可能なことは勿論である。
【００４５  】
【発明の効果】
以上説明したように、請求項１に記載された本発明によれば、バッテリーポスト挿入穴の縮径を確実に行うことができるという効果を奏する。また、バッテリーターミナル本体の不本意な変形を抑えることができるという効果を奏する。
【図面の簡単な説明】
【図１】本発明によるバッテリーターミナルの一実施の形態を示す分解斜視図である。
【図２】バッテリーターミナルの外観斜視図である。
【図３】バッテリーターミナルの平面図である。
【図４】バッテリーターミナルの正面図である。
【図５】バッテリーターミナルの背面図である。
【図６】バッテリーターミナルの側面図である。
【図７】図６のＡ−Ａ線断面図である。
【図８】図９の従来例の課題を解決すべく検討されたバッテリーターミナルの分解斜視図である。
【図９】従来例のバッテリーターミナルの分解斜視図である。
【符号の説明】
１  バッテリーターミナル
２  バッテリーポスト
３  バッテリーターミナル本体
４  締め付け装置（締め付け手段）
５、６  環状部
７  連結部（締め付け部）
８、９  接合板
１０  端子固定ボルト
１１  上基板
１２、１６  バッテリーポスト挿入穴
１３、１７  係合部
１４  一部分断された部分
１５  下基板
１８  締め付け間隙
１９  ボルト挿通孔
２０  被摺接部
２１  当接部
２２  先端部分
２３  中間部分
２４  先端部分
２５  接触板部
２６  側壁
２７  ボルト挿通孔
２８  頭部
２９  頭部保持片
３０  矩形平板部
３１  側壁
３２  ブラケット
３３  ボルト
３４  ナット
３５  基板
３６  テーパ部
３７  ボルト挿通孔
３８  頭部
【図１】
2004186095.tif 000003
【図２】
2004186095.tif 000004
【図３】
2004186095.tif 000005
【図４】
2004186095.tif 000006
【図５】
2004186095.tif 000007
【図６】
2004186095.tif 000008
【図７】
2004186095.tif 000009
【図８】
2004186095.tif 000010
【図９】
2004186095.tif 000011